(57)【特許請求の範囲】
【請求項１】
鉄筋コンクリート工事の配筋をする際において、鉄筋(100)と型枠(101)又は捨てコンクリートとの間に介在されるスペーサブロックであって、
平面視略方形の四つのブロック部(3)、(4)、(5)、(6)を有する十文字状にして、かつ上辺よりも下辺がやや狭いブロック体を呈し、前記鉄筋(100)が載架される前記十文字状の四つのブロック部(3)、(4)、(5)、(６)の上面が平坦な鉄筋載架面(３ａ)、(４ａ)、(５ａ)、(６ａ)とされ、前記型枠(１０１)の底板(１０２)と当接する前記四つのブロック部(３)、(４)、(５)、(６)の下面が円弧状面(３ｂ)、(４ｂ)、(５ｂ)、(６ｂ)とされた超高強度、高性能コンクリート製のブロック本体(2)と、
該ブロック本体(2)における前記十文字状の鉄筋載架面のいずれか一方向の鉄筋載架面上に固装された帯状金属板製の鉄筋止め部材(12)とを備え、
前記鉄筋載架面上にして、かつ前記鉄筋止め部材(12)と直交状に前記鉄筋(100)が載架されて、該鉄筋(100)が前記鉄筋止め部材(12)の折り曲げられた両端縁により定着される構成を特徴とする鉄筋コンクリート構造物用スペーサブロック。
【発明の詳細な説明】
【0001】
【発明の属する技術分野】
本発明は、主に中小の鉄筋コンクリート工事で設計図により配筋する際において、鉄筋とスラブ等の型枠又は捨てコンクリートとの間のコンクリート被り寸法を保持するため、これら鉄筋と型枠又は捨てコンクリートとの間に介在される鉄筋コンクリート構造物用スペーサブロックに関するものである。
【0002】
【従来の技術】
従来のスペーサブロックとしては、種々のものが提案され、又実用にも供されているが、それらはブロック本体の上下及び／又は左右に、鉄筋が載架される曲線状或いは直線状の凹みが設けられた構造、又は型枠との対接面である下面が平坦となっている構造のものであった。
【0003】
ところで、ブロック本体の上下及び／又は左右に凹みが設けられたスペーサブロックにあっては、この凹みに鉄筋を２本並列に載せた場合には、２本の鉄筋が凹み内に納まらずに上にずり上がってしまうため、支点からのコンクリート被り寸法が変わってしまうという問題点があり、又、下面に凹みがある場合には、上面に載せた鉄筋の荷重により左右２個所で荷重を支えなければならないため、破壊しやすく、強度性に劣るという問題点があった。
【0004】
又、下面が平坦で、ベタ敷きの場合には、型枠を取り外した（脱型）後、スペーサブロックの下面の形状がコンクリート表面に出てしまって、仕上がり面が汚くなってしまうという問題点があった。
【0005】
又、従来のスペーサブロックにあっては、同一のコンクリート被り寸法に対して、部材体積が大きいため製造、運搬共にコスト高となってしまうという問題点もあった。
【0006】
【発明が解決しようとする課題】
本発明は、このような従来の問題点に鑑みなされたもので、その目的とするところは、鉄筋が二次方向どちらへも転倒し難くて、安定的に載架することができ、鉄筋のコンクリート被り寸法のレベルに変化を生じさせない安定性に優れた鉄筋コンクリート構造物用スペーサブロックを提供することにある。
【0007】
又、本発明のもう一つの目的は、従来品に比して３倍以上の強度があって破壊し難い強度性に優れた鉄筋コンクリート構造物用スペーサブロックを提供することにある。
【0008】
又、本発明のもう一つの目的は、型枠を取り外した（脱型）後、スペーサブロックの下面の形状がコンクリート表面に出難くて、仕上がり面がきれいとなる仕上り性に優れた鉄筋コンクリート構造物用スペーサブロックを提供することにある。
【0009】
更に、本発明のもう一つの目的は、全体形状に無駄がなく、最小断面のため材料が極僅かで足り、しかも量産的であるから製造、運搬共に低コストで済む経済性に優れた鉄筋コンクリート構造物用スペーサブロックを提供することにある。
【0010】
【課題を解決するための手段】
この目的を達成するため請求項１に係る発明は、鉄筋コンクリート工事の配筋をする際において、鉄筋１００と型枠１０１又は捨てコンクリートとの間に介在されるスペーサブロックであって、平面視略方形の四つのブロック部３、４、５、６を有する十文字状にして、かつ上辺よりも下辺がやや狭いブロック体を呈し、前記鉄筋１００が載架される前記十文字状の四つのブロック部３、４、５、６の上面が平坦な鉄筋載架面３ａ、４ａ、５ａ、６ａとされ、前記型枠１０１の底板１０２と当接する前記四つのブロック部３、４、５、６の下面が円弧状面３ｂ、４ｂ、５ｂ、６ｂとされた超高強度、高性能コンクリート製のブロック本体２と、該ブロック本体２における前記十文字状の鉄筋載架面のいずれか一方向の鉄筋載架面上に固装された帯状金属板製の鉄筋止め部材１２とを備え、前記鉄筋載架面上にして、かつ前記鉄筋止め部材１２と直交状に前記鉄筋１００が載架されて、該鉄筋１００が前記鉄筋止め部材１２の折り曲げられた両端縁により定着される構成を特徴とするものである。
【0011】
【発明の実施の形態】
本発明の実施の形態について図面を参照し、その作用と共に説明する。
【0012】
本発明に係るスペーサブロック1は、地中梁配筋する際において、地中梁鉄筋と捨てコンクリートとのコンクリート被り寸法を保持するため、地中梁鉄筋と捨てコンクリートとの間に挟み込み、又はスラブ配筋等する際において、鉄筋とスラブ等の型枠との間に挟み込んで使用されるもので、スペーサブロック1は、ブロック本体と鉄筋止め部材を備えている。
【0013】
ブロック本体2は、全体が超高強度、高性能コンクリート製であって、平面視略方形の四つのブロック部３、４、５、６を有する十文字状にして、かつ上辺よりも下辺がやや狭いブロック体を呈し、鉄筋１００が載架される十文字状の四つのブロック部３、４、５、６の上面が平坦な鉄筋載架面３ａ，４ａ、５ａ、６ａとされ、型枠１０１の底板１０２と当接する四つのブロック部３、４、５、６の下面が円弧状面３ｂ、４ｂ、５ｂ、６ｂとされている。
【0014】
因みに、一例としてブロック部３、５間（又は４、６間）の上辺の長さＡが４２mm、下辺の長さＢが３７mm、上辺から下辺までの高さＣが３０mmとなっている。
【0015】
ブロック本体2に固装される鉄筋止め部材１２は、例えば帯状金属板であって、その長さはブロック本体2の上辺の長さＡ（図４参照）よりも長く、又、その幅は鉄筋載架面３ａ〜６ａの幅と同じか或いは僅少狭くなっている。
【0016】
そして、この鉄筋止め部材１２は、十文字状の鉄筋載架面のいずれか一方向の鉄筋載架面上に固装されるもので、例えば、図５に示されているように、鉄筋載架面４ａから６ａに亘って接着材を介して接着固定され、又は、図６及び図７に示されているように、プレス機等による打ち抜きと折り曲げ加工によって、対称形のアンカー状係止部１３、１３が形成され、ブロック本体１１の製造時において、材料であるコンクリートが固まらない内に、アンカー状係止部１３、１３が鉄筋載架面４ａ、６ａ、又は鉄筋載架面３ａ、５ａに埋め込まれことで、一体的に硬化形成される。
【0017】
又、鉄筋止め部材１２は、図８及び図９に示されているように、ブロック本体2の製造時において、材料であるコンクリートが固まらない内に、帯状金属板に穿設された穴１４、１４を介してアンカー１５、１５が鉄筋載架面４ａ、６ａ、又は鉄筋載架面３ａ、５ａに埋め込まれことで、一体的に硬化形成される。
【0018】
そして、このように構成された本スペーサブロック１は、図１０に例示されているように、鉄筋止め部材１２の両端縁が略ハ字状に折り曲げられて載架された鉄筋１００に定着され、後述の態様をもって使用される。
【0019】
本スペーサブロック１は、地中梁配筋する際において、地中梁鉄筋と捨てコンクリートとのコンクリート被り寸法を保持するため、地中梁鉄筋と捨てコンクリートとの間に挟み込み、又はスラブ配筋等する際において、鉄筋とスラブ等の型枠との間に挟み込んで使用されるが、型枠との間において使用される一例を図１１から図１４を参照して説明する。
【0020】
先ず、図１１に示されているように、本スペーサブロック１の鉄筋載架面に鉄筋１００が載架配筋された状態で型枠１０１の底板１０２上に置かれ、次いで、図１２に示されているように、型枠１０１内に鉄筋１００と本スペーサブロック１が埋まるようにコンクリート１０３が流し込まれる。
【0021】
次いで、図１３に示されているように、コンクリート１０３が硬化したら型枠１０１が外される（脱型）。
【0022】
このようにして使用された鉄筋１００と本スペーサブロック１は、コンクリート１０３内に完全に納まり、脱型後において、型枠底板側から見ると、図１４に実線で示されているように、底板１０２と当接していた本スペーサブロック１における各ブロック部３〜６の円弧状面３ｂ〜６ｂがかすかに十文字形に、極僅かに感じられる程度で、良好な仕上り面となる。
【0023】
【発明の効果】
しかして、本発明によれば、鉄筋の載架面が平坦な十文字状に形成されているから、鉄筋が二次方向どちらへも転倒し難くて、鉄筋のコンクリート被り寸法のレベルに変化を生じさせることがなくて安定性に優れるものである。
【0024】
又、本発明によれば、全体が超高強度・高性能コンクリート製の十文字状ブロック体とされているから、鉄筋荷重がかかる位置の同一鉛直下に支点がある構成上の効果と材質上の効果との相乗効果により、従来品に比して３倍以上の非常に高い強度があって破壊し難く、極めて強度性に優れるものである。
【0025】
又、本発明によれば、本スペーサブロックの支点は十文字の線上にあるため、型枠を取り外し（脱型）後、スペーサブロックの下面の形状がコンクリート表面に出難くて、仕上がり面がきれいとなる。
【0026】
又、本発明によれば、全体形状に無駄がなく、最小断面のため材料が極僅かで足り、しかも量産的であるから製造、運搬共に低コストで済む経済性に優れるものである。
【図面の簡単な説明】
【図１】本発明におけるブロック本体の上面側よりの斜視図である。
【図２】本発明におけるブロック本体の下面側よりの斜視図である。
【図３】本発明におけるブロック本体と鉄筋との載架状態での斜視図である。
【図４】本発明におけるブロック本体の一部断面の正面図である。
【図５】本発明に係るスペーサブロックの一例での斜視図である。
【図６】鉄筋止め部材の一例での斜視図である。
【図７】本発明に係るスペーサブロックの一例での正面図である。
【図８】鉄筋止め部材の他例での斜視図である。
【図９】他例での鉄筋止め部材を備えた本スペーサブロックの正面図である。
【図１０】本発明に係るスペーサブロックの使用状態の斜視図である。
【図１１】本スペーサブロックの使用態様の一例を示す概略説明図であって、型枠に配置された状態を示す。
【図１２】本スペーサブロックの使用態様の一例を示す概略説明図であって、型枠に配置され、かつコンクリートが流し込まれた状態を示す。
【図１３】本スペーサブロックの使用態様の一例を示す概略説明図であって、型枠が取り外された（脱型）状態を示す。
【図１４】本スペーサブロックの使用態様の一例を示す概略説明図であって、型枠が外された（脱型）コンクリートの型枠底板側からの仕上げ面の状態を示す。
【符号の説明】
１    本スペーサブロック
２    ブロック本体
３〜６    ブロック部
３ａ〜６ａ    平坦な鉄筋載架面
３ｂ〜６ｂ    円弧状面
１２    鉄筋止め部材
１００    鉄筋
１０１    型枠
１０２    型枠底板
１０３    コンクリート
【図１】
0003609369.tif 000002
【図２】
0003609369.tif 000003
【図３】
0003609369.tif 000004
【図４】
0003609369.tif 000005
【図５】
0003609369.tif 000006
【図６】
0003609369.tif 000007
【図７】
0003609369.tif 000008
【図８】
0003609369.tif 000009
【図９】
0003609369.tif 000010
【図１０】
0003609369.tif 000011
【図１１】
0003609369.tif 000012
【図１２】
0003609369.tif 000013
【図１３】
0003609369.tif 000014
【図１４】
0003609369.tif 000015